(57)【要約】【課題】比較的簡単な構成で細径化を確保しながら照明光の無駄がなく、照明レンズを正確に位置決め配置することができる内視鏡を提供することにある。【解決手段】体腔内に挿入される挿入部における先端部本体３１に形成された照明レンズ収納孔３６に収納される照明レンズ３４は、非円形で長手方向の両端を備え、照明レンズ収納孔３６には、照明レンズ３４の長手方向の両端を当接して位置決めする爪８１を具備した。【選択図】      図１２
2006075341.tif 000002
【特許請求の範囲】
【請求項１】
体腔内に挿入される挿入部における先端部を構成する部材と、
この先端部を構成する部材或いはその部材に組み込まれた他の部材に形成された照明レンズ収納孔と、
上記レンズ収納孔に収納され、非円形で長手方向の両端を備える照明レンズと、
上記照明レンズ収納孔に設けられ、上記照明レンズの長手方向の端を当接して位置決めする爪と、
を具備したことを特徴とする内視鏡。
【請求項２】
上記照明レンズの長手方向が上記先端部に組み込まれる観察用対物レンズの一つの直径方向に交差するように上記照明レンズを配置したことを特徴とする請求項１の内視鏡。
【請求項３】
上記位置決め用爪は、上記照明レンズ収納孔の前方開口端に設けられ、上記照明レンズは、上記照明レンズ収納孔に差し込まれ、長手方向の端を、上記位置決め用爪に当接して位置決めするようにしたことを特徴とする請求項１または請求項２の内視鏡。
【発明の詳細な説明】
【技術分野】
【０００１】
本発明は、挿入部の先端部において、対物レンズの周辺に照明レンズを配置するようにした内視鏡に関する。
【背景技術】
【０００２】
一般に、内視鏡は、術者が把持・操作するための操作部と、体腔内に挿入するための挿入部を備える。この挿入部の先端部は、体腔内を観察するための対物レンズや撮像手段としてのＣＣＤ等の撮像装置や体腔内を照明するための照明レンズ等の各種部材が他の部分よりも高密度で配置される場所であり、各部材の大きさや構造が種々の制限を受けるところである。また、観察用対物レンズは前面から見て円形であるべきであるが、照明レンズは必ずしも円形である必要がない一方で、対物レンズの周辺に配置されるべきものである。照明レンズ部材が前面から見て円形でない形状として対物レンズの周辺に配置するようにしたものが提案されている。
【特許文献１】特願２００４−３３６６５号（未公開）
【発明の開示】
【発明が解決しようとする課題】
【０００３】
従来の内視鏡において、対物レンズの周辺に配置された照明レンズは挿入部の先端部における本体部材に形成した収納孔内に嵌め込まれ、その収納孔内に接着固定されていた。このため、照明レンズの取付け位置は収納孔内に組み付けて接着する作業に依存し、その取付け位置が微妙に異なる。
【０００４】
このように従来のものでは、組付け接着作業の過程で照明レンズが本来の取付け位置からずれて接着固定されることがあったが、仮に、本来の取付け位置から内側位置にずれて照明レンズが固定されると、収納孔の開口縁によって照明光がカットされる虞がある。また、対物レンズに対する照明光の配光が本来の角度からずれる虞もある。
【０００５】
特願２００４−３３６６５号の出願によって提案されたものは、収納孔の円形状開口縁に爪を設けてその爪に照明レンズの円周縁部分を当てて位置決めするようにしたものである。この場合でもその爪の部分によって円形周辺の照明光が遮蔽され、それだけ照明光量を損なうという欠点があった。
【０００６】
本発明は、上記課題に着目してなされたもので、その目的とするところは、比較的簡単な構成で細径化を確保しながら照明光の無駄がなくなり、正確に照明レンズを位置決め配置することができる内視鏡を提供することにある。
【課題を解決するための手段】
【０００７】
請求項１に係る発明は、体腔内に挿入される挿入部における先端部を構成する部材と、この先端部を構成する部材或いはその部材に組み込まれた他の部材に形成された照明レンズ収納孔と、上記レンズ収納孔に収納され、非円形で長手方向の端を備える照明レンズと、上記照明レンズ収納孔に設けられ、上記照明レンズの長手方向の端を当接して位置決めする爪と、を具備したことを特徴とする内視鏡である。  
請求項２に係る発明は、上記照明レンズの長手方向が上記先端部に組み込まれる観察用対物レンズの一つの直径方向に交差するように上記照明レンズを配置したことを特徴とする請求項１の内視鏡である。  
請求項３に係る発明は、上記位置決め用爪は、上記照明レンズ収納孔の前方開口端に設けられ、上記照明レンズは、上記照明レンズ収納孔に差し込まれ、長手方向の端を、上記位置決め用爪に当接して位置決めするようにしたことを特徴とする請求項１または請求項２の内視鏡である。
【発明の効果】
【０００８】
本発明によれば、比較的簡単な構成でありながら照明光に無駄がなくなる形で、照明レンズを容易かつ正確に位置決め配置することができる。
【発明を実施するための最良の形態】
【０００９】
＜第１の実施形態＞
以下、図面を参照して本発明の一実施形態に係る電子式内視鏡について説明する。図１はその内視鏡全体を概略的に示す。図１に示すように、内視鏡１は、長尺な挿入部２と、この挿入部２の基端に設けられた操作部３を含み、操作部３にはユニバーサルコード４が設けられている。ユニバーサルコード４の延出先端には後述するコネクタ５が設けられていて、このコネクタ５により図示しない光源装置に対して内視鏡１を接続できるようになっている。また、コネクタ５にはビデオプロセッサに対して接続できるビデオコネクタ６に通じるケーブル７が接続されている。
【００１０】
図１に示すように、挿入部２はその先端に配置された硬質の先端部１１と、この先端部１１の後端に続いて設けられた湾曲部１２と、この湾曲部１２の後端に続いて設けられた可撓性を有する可撓管部１３とから構成されている。
【００１１】
内視鏡１の操作部３には操作者が内視鏡１を保持する際に把持する把持部３ａが形成されており、この把持部３ａよりも上側に位置する操作部３の部位には、送気送水操作釦１５や吸引操作を行うための吸引操作釦１６が設けられている。操作部３の頭部には上述したビデオプロセッサを遠隔操作するための複数のリモートスイッチ釦１７が設けられている。
【００１２】
さらに、操作部３の側面部位には、挿入部２の湾曲部１２を湾曲する際に使用するための操作部材として一対のアングルノブ１８ａ，１８ｂが設けられている。各アングルノブ１８ａ，１８ｂには、操作位置にロックするためのブレーキ部材として、本実施形態ではアングルノブ１８ａに対応してブレーキノブ１９ａが、アングルノブ１８ｂに対応してブレーキレバー１９ｂが付設されている。把持部３ａの下側に位置する部位には処置具挿入口２０が設けられている。
【００１３】
次に、上記挿入部２における先端部１１の構成について具体的に説明する。図２乃至図４に示すように、上記挿入部２の先端部１１は先端部本体（先枠部材）３１を備えている。この先端部本体３１には各種部材が組み付けられている。先端部本体３１は一体な部材として形成される。先端部本体３１には後述する対物レンズユニット３２を組み込む第１取付孔３５と、一対の照明レンズ３４をそれぞれ個別に組み込む照明レンズ収納孔としての２つの第２取付孔３６が上記第１取付孔３５の左右に隣接して配置され、かつ、各第２取付孔３６は前後方向に貫通して設けられている。
【００１４】
図８に示すように、先端部本体３１を正面から見たときの第１取付孔３５の形状は真円である。また、同じく図８に示すように、第２取付孔３６は、後述する照明レンズ３４の形に合わせて長手方向の両端を備えた非円形な形となっている。ここでは、照明レンズ３４は、真円の周部を切り取った形状であり、いわば半円形または三日月形となっている。また、第２取付孔３６の形の弦となる部分をいずれも第１取付孔３５に向ける対称的な配置であり、上記第１取付孔３５の左右に隣接して設置されている。
【００１５】
つまり、上記２つの第２取付孔３６はいずれも真円でない異形な形状（非円形）の半円形または三日月形に形成されると共に、その弦が第１取付孔３５の放射半径方向（直径方向）に対して直角をなすように配置されている。このため、第２取付孔３６の長手方向が、第１取付孔３５の直径方向に対して直角な方向に長く延びる形であり、左右には幅が狭く、上下に延びる長手方向の両端が位置決め用端とする形状になっている。そして、上記照明レンズ３４の長手方向が上記先端部１１に組み込まれる観察用対物レンズ４５の一つの直径方向に交差するように上記照明レンズ３４を配置してある。このため、上記照明レンズ３４の光軸中心と観察用対物レンズ４５の光軸中心を結ぶ直線が上記照明レンズ３４の長手方向に交差するように上記照明レンズ３４が配置される。
【００１６】
図２に示すように、第１取付孔３５には、対物レンズユニット３２の先端部分を嵌め込み、先端部本体３１に接着固定している。また、左右の第２取付孔３６は、それぞれ照明レンズ３４を嵌め込み収納する照明レンズ収納孔を形成している。照明レンズ３４は、第２取付孔３６に接着して封止状態に固定されている。
【００１７】
また、第２取付孔３６には、照明レンズ３４の後ろ側に位置してライトガイドファイバ束３７の先端部分が嵌め込まれ、このライトガイドファイバ束３７は先端部本体３１に接着剤で固定されている。
【００１８】
図２乃至図４に示すように、対物レンズユニット３２は、レンズ枠４１と撮像素子ホルダ（枠）４２を備え、レンズ枠４１の後端部分の外周には、撮像素子ホルダ４２の先端部分が被嵌し、両者は位置出し調整後に接着剤４３により固定する構造になっている。また、先端側に位置するレンズ枠４１は対物レンズ群４５を保持しており、後端側に位置する撮像素子ホルダ４２は撮像レンズ４６とＣＣＤ等の撮像素子４７を保持して撮像ユニット４８を構成している。
【００１９】
上記撮像レンズ４６の前には観察光のフレアをカットして撮像領域を規制するための薄板状のマスク５１が設けられている。このマスク５１は撮像領域を規制するため、光軸方向及び光軸回りの位置が定まらなければならない。このために撮像素子ホルダ４２の内部に形成した段差壁面５２に当てられて光軸方向と光軸回りの位置決めされ、その上で、接着固定される。この場合、マスク５１と撮像レンズ４６との光軸方向の間隔（距離）も決まっていなければならないので、そのマスク５１と撮像レンズ４６の間にはその距離を規制する間隔環５３が介在されている。
【００２０】
上記マスク５１と間隔環５３は撮像素子ホルダ４２に取り付ける前に外形のを位置合わせを行って接着し、一体的なユニット５４となるように先に組み立てておく。この予め組み立てたユニット５４を、上記撮像素子ホルダ４２に嵌め込んで接着して組み立てるようにする。
【００２１】
したがって、撮像素子ホルダ４２に対してマスク５１と間隔環５３を一個ずつ別々に組み付けて接着させる場合に比べて接着剤のはみ出しを回避できると共に、接着剤のはみ出しによる観察光のカットもなくなる。また、ユニット５４全体を正確に組み立て得る。このため、接着剤による光軸方向の誤差が回避できると共に光軸方向の位置が正確に決まる。また、マスク５１と間隔環５３をユニット５４として組み立て、大きくなったユニット５４を撮像素子ホルダ４２に組み付けるようにするため、その組立て作業性が良くなり、容易に組立て作業を行うことができる。
【００２２】
図２に示すように、上記撮像ユニット４８の部分は、先端部本体３１に取着された筒状の先端部カバー（第２の先枠）６１によって囲まれている。この先端部カバー６１はその先端部分を上記先端部本体３１の後端外周部分に嵌め込んで位置決めされ、この位置決め状態で両者は半田付けや接着等により固定される。先端部カバー６１の後端部は湾曲部１２の最先端に位置する第１節輪（駒）６２の先端部分に嵌め合わされ、その第１節輪６２に半田付けや接着等により固定されている。
【００２３】
また、図２に示すように、先端部カバー６１と第１節輪６２を嵌め合わせたときの位置を決めるために、先端部カバー６１の方には内方へ突き出す突起６４を形成し、第１節輪６２の方にはその突起６４を嵌り込む位置決め孔６５を形成する。そして、突起６４と孔６５を嵌め合わせることにより先端部カバー６１と第１節輪６２との相対的な位置決めがなされ、両者を半田付けや接着して固定する。この突起６４と孔６５の組の数は２つ以上設けるようにしても良い。このように、先端部カバー６１と第１節輪６２を突起６４と孔６５で位置決め固定するようにしたので、位置決めピン等の他の部材を用いる場合に比べて構成の簡略化と細径化を図ることができる。
【００２４】
また、図３に示すように、先端部カバー６１の先端部分と先端部本体３１の後端部分を嵌め合わせたときの位置を決めるために、先端部カバー６１の嵌合部に内方へ突き出す突起６６を形成し、先端部本体３１の後端部分にはその突起６６を嵌り込む位置決め孔６７を形成する。この突起６６と孔６７を嵌め合わせることにより、両者の半田付けや接着などによる固定前に先端部カバー６１と先端部本体３１の位置決めがなされ、その位置関係で両者を接続固定できる。このように、先端部カバー６１と第１節輪６２を突起６６と孔６７で位置決め固定するようにしたので、位置決めピン等の他の部材を用いる場合に比べて構成の簡略化と細径化を図ることができる。
【００２５】
この結合手段は、図４及び図５（ａ）に示すように、第１節輪６２の先端を延長し、この延長した部分６２ａを、上述した先端部カバー６１の一部を兼ねるようにした構造にも適用できる。すなわち、先端部本体３１に被嵌させた先端部カバー６１の後端部分に第１節輪６２の延長部６２ａを被嵌して固定するようにした。なお、図４に示す先端部カバー６１は先端部本体３１とピン６９によって連結されている。
【００２６】
また、図３及び図４に示すように、第１節輪６２の延長部６２ａまたは上述した先端部カバー６１の途中には、内部観察用窓としての孔６８が形成されている。上記第１節輪６２にはアングルワイヤ７１の先端を、半田付けを含むロウ付けにより固定するための切起片６３が形成されており、上記孔６８はその切起片６３の位置を覗けるように形成されている。図５（ｂ）に示すように、上記内部観察用窓としての孔６８はアングルワイヤ７１の接続部を覗き易くするため、先端部１１の軸方向へ長い。
【００２７】
このように第１節輪６２の延長部６２ａまたは先端部カバー６１の途中に内部観察用孔６８を形成したので、前方から工具を差し込んでロウ付け作業とロウ付け後のバリ取りや研磨等の始末作業を目視で容易に観察することができる。
【００２８】
また、図４及び図５に示すように、第１節輪６２を延長して延長部６２ａを形成した場合にも先端部本体３１の後端部分または先端部カバー６１に形成した位置決め孔６７に嵌り込む突起６６を形成する。この突起６６と位置決め孔６７は図６に示すように１つ以上の組があり、ここでは、上方側に偏って左右対称に配置されている。このため、先端部本体３１と第１節輪６２の上下位置関係を誤りなく、両者を組み立てることができる。
【００２９】
図２乃至図４に示すように、挿入部２における先端部１１から湾曲部１２にはその両者にわたり外被７７が被覆されており、外被７７の先端部分は先端部本体３１の外周に被せられ、糸７８で締め付けられると共に、その糸巻付け部には接着剤７９が塗布されている。
【００３０】
次に、上記照明レンズ３４の取付け構造について説明する。照明レンズ３４を嵌め込むための第２取付孔３６は、上述した形で図８に示すように先端部本体３１に形成されている。つまり、第２取付孔３６は、上記照明レンズ３４に対応して左右の幅が狭く、上下方向に長い、非円形の形である。
【００３１】
また、図９及び図１０に示すように、第２取付孔３６はその形を維持しながら、先端部本体３１の先端から後方に突き抜けるように形成されている。しかし、図９乃至図１１に示すように、第２取付孔３６の開口部における上下方向の両端部にはその孔の中心軸に向けて突き出した爪状の突起８１がそれぞれ一体に形成されている。
【００３２】
また、図９に示すように、各突起８１の内側端はいずれも傾斜しており、その両方の傾斜内端面８２が互いになす角度θは９０度となっている。第２取付孔３６の、これ以外の周縁部分には突起８１が形成されていない。つまり、第２取付孔３６はその突起８１を形成した部分を除き、全長にわたり、孔の中心軸に対して平行で等径なものである。なお、突起８１は、先端部本体３１に一体のものとして形成したが、別部材または先端部本体３１に取り付けられる他の部材に設けて形成するようにしても良い。
【００３３】
そして、図２に示すように、上記照明レンズ３４は、第２取付孔３６の後ろ側から差し込まれ、上記爪状の突起８１に当てて位置決めされて第２取付孔３６に接着固定される。さらに、第２取付孔３６には照明用ライトガイドとしてのファイバ束３７が照明レンズ３４の後ろまで差し込まれ、その第２取付孔３６に接着固定されている。
【００３４】
図１４に示すように、各ファイバ束３７のファイバ素子はファイバ束３７を差し込む上記第２取付孔３６の形状に合わせて照明レンズ３４の後面全体に配置され直され、その第２取付孔３６内に密な状態で配置されている。
【００３５】
照明レンズ３４の形状は、真円でない異形な形状（非円形）の半円形または三日月形に形成されるが、これを嵌め込む第２取付孔３６の形状に合わせて形成される。ここでは、図１５に示すように、円形の周部を切り取った形状であり、かつ、内側に弦を位置させる形状になっている。照明レンズ３４の形状はこの形状に限らず、長円形、楕円形、長方形や台形等の他の非円形の形状のものでも良い。
【００３６】
さらに、図１６に示すように、照明レンズ３４の長手方向の前端縁には上記突起８１の傾斜内端面８２に対応した傾斜角度の斜面８４が形成されていて、この斜面８４が取付孔３６の突起８１の傾斜内端面８２に当たり、第２取付孔３６での照明レンズ３４の位置決めがなされるようになっている。
【００３７】
図１２は、第２取付孔３６に照明レンズ３４を取り付けた状態での先端部１１を正面から見た図であり、図２は、その第２取付孔３６に照明レンズ３４が嵌め込まれた状態を示している。
【００３８】
仮に、照明レンズ３４が本来の取付け位置からずれて固定されると、その取付孔の開口縁によって照明光がカットされたり、対物レンズに対する照明光の配光が本来の角度からずれたりするような不都合が起きる。  
しかし、本実施形態では照明レンズ３４が、第２取付孔３６の突起８１に当てることにより、その照明レンズ３４の取付け位置が光軸上で決まる。本実施形態ではそれらの事態を回避できる。また、照明レンズ３４の位置決めが、第２取付孔３６に照明レンズ３４を接着させる作業に依存することなく、突起８１に照明レンズ３４を突き当てることによって照明レンズ３４の位置が決まる。したがって、照明レンズ３４の取付け固定位置が正確に定まり、また、照明レンズ３４の組付け作業が容易になる。
【００３９】
さらに、上記照明レンズ３４を位置決めする突起８１が、照明レンズ３４の中央領域から外れた、照明レンズ３４の長手方向の上下に位置する隅の部分に配置されている。照明レンズ３４の長手方向の両端は照明配光においてあまり影響がないところであり、ケラレの少ない個所である。また、配置的に余裕がある場所でもある。
【００４０】
以上の如く、本実施形態では、上記突起８１によって照明レンズ３４を通じて観察視野に照射する主要な光を妨げることがない。しかも、円形な開口全周縁に爪を設けてその爪に対して照明レンズの周縁を突き当てて位置決めする場合のように、その爪の部分によって円形な開口周辺部の照明光を遮蔽して照明光量を損なう無駄も回避できる。
【００４１】
上述した形態では、後方から第２取付孔３６に照明レンズ３４を差し込むようにした構成であったが、第２取付孔３６の側方に形成した開口から照明レンズ３４を差し込み、第２取付孔３６の取付け位置に取り付け、上記開口にカバーを被せて閉じるようにした横入れ方式ものであっても良い。この方式の場合の照明レンズ収納孔は完全な形の孔を形成しないが、本発明ではこのような照明レンズ収納孔も照明レンズ収納孔とする。つまり、照明レンズ収納孔は照明レンズを差し込んで所定位置に収納されるものを意味する。
【００４２】
図１７乃至図１９は先端部１１の他の構造について示すものである。この先端部１１の先端部本体３１は対物レンズユニット３２を組み込む第１先枠９１と、円筒状の第２先枠９２を備えてなり、第１先枠９１と第２先枠９２の間に半月状のレンズ取付け用空間部９４ａ，９４ｂを形成し、この各レンズ取付け用空間部９４ａ，９４ｂ内に上述したような非円形の照明レンズ３４が組み込まれ、照明レンズユニットを構成する。
【００４３】
各照明レンズ３４は半月状のレンズ取付け用空間部９４ａ，９４ｂ内を満たす半月状の形状に形成されていて、図１７に示すように、レンズ取付け用空間部９４ａ，９４ｂ内に嵌め込み、取付リング９３に照明レンズ３４を半田付ける。照明レンズ３４の周面を、他の部材である取付リング９３に半田付けができる状態にするためにメタライズ処理する。この処理方法としては、金属メッキや金属蒸着またはスパッタリング等がある。
【００４４】
この第１先枠９１と取付リング９３と照明レンズ３４は図１８で示すように単独のユニットとして予め完成しておき、この一体的な照明レンズユニットを先端部１１に組み付けるようにする。上記ユニット部分の半田付け作業やフラックス洗浄作業を予め済ましておけるので、その後の組立て作業が容易である。
【００４５】
図２０は上記先端部１１内における撮像素子ホルダ４２の他の配置構造を示すものである。すなわち、撮像素子ホルダ４２は円形の左右部分をカットした形の横断面形状をなしており、上下の部分を円形として残したものである。さらに、撮像素子ホルダ４２の中心Ｐを、先端部本体３１の中心に略一致させる。撮像レンズ４６や撮像素子４７の光軸Ｌの位置は先端部本体３１の中心Ｐの位置の上側に離れて存在する。したがって、撮像レンズ４６や撮像素子４７及びこれらを保持する撮像素子ホルダ４２は先端部本体３１のスペースを有効に利用して配置できるので、先端部１１の細径化が可能となる。
【００４６】
図２１乃至図２３はライトガイドファイバ束の構成について示す。ファイバ束３７は先端部１１では各照明レンズ３４に対応して２本ずつ、挿入部２の湾曲部１２、可撓管部１３及びユニバーサルコード４の間では４本のファイバ束９６ａ，９６ｂ，９６ｃ，９６ｄに分かれており、コネクタ５のライトガイド管８６では１本にまとめられている。上記先端部１１を除き、挿入部２及びユニバーサルコード４の部分では断面形状が円形であると共に４本に分かれているため、配置性と柔軟性が高まる。
【００４７】
挿入部２の先端部１１では２本ずつ左右の照明レンズ３４に振り分けられる。この振り分けられた段階では断面形状が円形なままであるが、照明レンズ３４ａ，３４ｂの形状に合わせてまとめ直され、その照明レンズ３４ａ，３４ｂの背面全体に配置される。このため、上記照明レンズ３４全体を利用して照明光を効率的に照射させることができる。
【００４８】
また、この照明レンズ３４は光拡散性処理（たとえば砂目状表面）を施した透明部材に置き換えて照明光を分散照射させるようにしたものでも良い。
【００４９】
図２４乃至図２６は、ユニバーサルコード４に設けられたコネクタ５に、無線ＩＤダグ（RF-ID）１０１を組み込むようにした例である。無線ＩＤダグ１０１はコネクタ５の外装樹脂部材１０２の直ぐ裏の内側に、その通信面１０３が来るように、コネクタ５内の部材（図２６参照）またはコネクタ５の外装樹脂部材１０２（図２５参照）に固定されている。この無線ＩＤダグ１０１は外部の受信器と双方向通信が可能であり、それ自身のシリアルＮＯや型形式等の情報または洗浄履歴などの情報の記憶及び送信がなされる。
【００５０】
次に、図２７乃至図３１を参照して上記ビデオコネクタ６におけるシールド構造について説明する。図２７及び図２８に示すように、上記ビデオコネクタ６は外装ケース１１０内に回路基盤１１１を配置する構造であり、上記外装ケース１１０の先端には図１に示したように外部に露出した接点部１１２が設けられている。上記外装ケース１１０はシールドケース１１５と、これを覆う樹脂製ケース１１６を備える。上記シールドケース１１５は回路基盤１１１の基盤ＧＮＤ１１７に導通している。
【００５１】
上記ケーブル７の先端には、図２７及び図２８に示すように、金属製の接続用口金１２１ａ，１２１ｂ等が設けられていて、後方の接続用口金１２１ｂは上記樹脂製ケース１１６の後端に形成した接続筒部１２２に金属製の接続用金具１２３を用いて接続されている。上記ケーブル７の先端接続部付近には折止めチューブ１２４が設けられており、この折止めチューブ１２４は上記接続用金具１２３に締結した取り付けた金具１２５に固定されている。
【００５２】
また、図２７に示すように、上記ケーブル７は図示しないフレックスと銅線ブレードと樹脂製外皮によって形成された第１外層チューブ１３１を備える。このフレックスと銅線ブレードはそのケーブル７のシールド層を構成する。第１外層チューブ１３１は上記接続用口金１２１ａに接続固定されることにより、その接続用口金１２１ａに導通している。
【００５３】
上記ケーブル７の内孔には複数種の信号ケーブル１３２が挿通されていて、これらの信号ケーブル１３２内には適宜本数の各種の信号線１３３が挿通されている。そして、各信号線１３３は回路基盤１１１に接続されている。
【００５４】
上記信号ケーブル１３２には必要に応じて外装シールド１３４が施されている。また、上記信号線１３３の外装シースにもその用途に応じて図示しないシールドが施されている。
【００５５】
そして、図２７に示すように、上記ケーブル７のシールド層は上記接続用口金１２１等の導電部材を介して上記接続用金具１２３に導通されている。上記接続用金具１２３の他端面には、金属製の板ばね１４１の一端が接触して導通している。板ばね１４１はビス１４２によって上記シールドケース１１５に導通するように取着されている。この組み付け構造によって上記ケーブル７の外装シールド層は上記ビデオコネクタ６のシールドケース１１５に導通してアース経路を構築し、このアース経路を付加することにより上記ビデオコネクタ６のＧＮＤが強化されている。
【００５６】
上述した信号ケーブル１３２の外装シールド１３４は図３１に示すように、上記ビデオコネクタ６の導電性フエルール１４４と一体的に導通した導電性テーパー管１４５の外周に被せられ、導電性のナット１４６によりテーパー管１４５のテーパー外周面に締め付けられている。上記テーパー管１４５は導電性フエルール１４４と導通されているため、上記信号ケーブル１３２の外装シールド１３４は、上記ビデオコネクタ６のシールドケース１１５に導通してアース経路を構築する。
【００５７】
また、図２８及び図２９に示すように、上記信号ケーブル１３２の外装シールド１３４に組み込まれたシールド１３５はコネクタ内部で露出され、このシールド１３５の露出部分は導電性フエルール１４４に半田付けされている。この導電性フエルール１４４は導電性押さえ板１４７によって締結されている。押さえ板１４７はビス１４８によってビデオコネクタ６に固定されている。
【００５８】
そして、信号ケーブル１３２に組み込まれたシールド１３５は押さえ板１４７に導通し、押さえ板１４７は導電性フエルール１４４に導通する。つまり、信号ケーブル１３２に組み込まれたシールド１３５は、上記信号ケーブル１３２の外装シールド１３４とも導通して同電位となり、上記ビデオコネクタ６のＧＮＤが強化される。
【００５９】
なお、本発明は前述した実施形態のものに限定されるものではなく、他の形態にも適用が可能である。
【００６０】
＜付記＞  前述した説明によれば、以下の事項またはそれらの事項を適宜選択して組み合わせた事項が得られる。
【００６１】
１．挿入部内に配置したアングルワイヤにより湾曲部を湾曲するようにした内視鏡において、先端部内に設置した撮像装置の後方に位置する湾曲部の第１節輪或いは第１節輪に連結した部材に対して上記アングルワイヤの先端を接続すると共に、先端部の外装部の少なくとも一部を形成する部材の壁部に上記接続部を外から観察できる覗き窓を設けたことを特徴とする内視鏡。  
２．上記覗き窓は、先端部の外装部のカバーの壁部に切り欠いて開口させた孔であることを特徴とする第１項に記載の内視鏡。  
３．上記覗き窓を形成する部材は、湾曲部の第１節輪を先方に延長した壁部であることを特徴とする第１項または第２項に記載の内視鏡。
【００６２】
（付記項の発明が解決しようとする課題）  
一般に、内視鏡の挿入部は先端部と湾曲部と可撓管部を含み、挿入部内に配置したアングルワイヤにより湾曲部を湾曲するようにしていた。従来、挿入部、特に先端部を細径化するために、上記アングルワイヤの先端は、ＣＣＤ等の撮像装置を避けてその大きく膨らんでいる撮像装置の後方に位置する湾曲部の第１節輪に対して半田付けて固定するようにしていた。
【００６３】
しかし、アングルワイヤの先端を湾曲部の第１節輪に固定する箇所が撮像装置よりも奥の第１節輪であるため、前方から工具を差し込んで半田付け作業と半田付け後のバリ取りや研磨等の始末作業をしなければならなかった。
【００６４】
したがって、第１節輪に対するアングルワイヤの先端の半田付け作業と半田付け後の始末処理が非常に難しく、また、半田付け作業後、固定した状態を最終的に確認する検査作業も非常にしづらいものであった。
【００６５】
（付記の目的・効果）
付記の発明は、上記課題を解決することを目的とする。各付記の発明によれば、第１節輪に設けた観察用窓を通じて、アングルワイヤの先端の固定箇所を観察しながら容易に接続作業ができる。また、作業後の接続状態の確認も容易である。
【図面の簡単な説明】
【００６６】
【図１】本発明の一実施形態に係る電子式内視鏡全体の概略説明図。
【図２】上記電子式内視鏡の挿入部における先端部の縦断面図。
【図３】上記電子式内視鏡の挿入部における先端部の縦断面図。
【図４】上記電子式内視鏡の挿入部における先端部の縦断面図。
【図５】（ａ）上記電子式内視鏡の挿入部における湾曲部の節輪部分の縦断面図、（ｂ）はその節輪部分に設けた孔部分の平面図。
【図６】上記電子式内視鏡の挿入部における湾曲部の節輪部分の横断面図。
【図７】上記電子式内視鏡の挿入部の先端部における先端部本体を形成する部材の縦断面図。
【図８】上記電子式内視鏡の挿入部の先端部における先端部本体を形成する部材の正面図。
【図９】上記電子式内視鏡の挿入部の先端部における先端部本体を形成する部材の第２取付孔の部分をその長手方向に沿う縦断面図。
【図１０】上記電子式内視鏡の挿入部の先端部における先端部本体を形成する部材の両方の第２取付孔の部分を通る縦断面図。
【図１１】上記電子式内視鏡の挿入部の先端部における先端部本体を形成する部材の正面図。
【図１２】上記電子式内視鏡の挿入部の先端部における先端部の正面図。
【図１３】図２中Ａ―Ａ線に沿う上記電子式内視鏡の挿入部における先端部の横断面図。
【図１４】図３中Ｂ―Ｂ線に沿う上記電子式内視鏡の挿入部における先端部の横断面図。
【図１５】上記電子式内視鏡の挿入部の先端部に組み込む照明レンズの正面図。
【図１６】上記電子式内視鏡の挿入部の先端部に組み込む照明レンズの側面図。
【図１７】上記電子式内視鏡の挿入部の先端部に対し一体的に組み込むようにした照明レンズユニットの正面図。
【図１８】上記照明レンズユニットの縦断面図。
【図１９】上記先端部内に組み込む撮像素子ホルダの配置構造の他の例を示す先端部の正面図。
【図２０】上記先端部内に組み込む撮像素子ホルダの配置構造の他の例を示す撮像素子ホルダ部分の横断面図。
【図２１】上記撮像素子ホルダの後方における上記先端部の横断面図。
【図２２】上記電子式内視鏡に組み込むライトガイドファイバ束の構成の説明図。
【図２３】上記撮像素子ホルダの後方における上記湾曲部の横断面図。
【図２４】本発明の一実施形態に係る電子式内視鏡のユニバーサルコードに設けられているコネクタの平面図。
【図２５】上記コネクタの側面図。
【図２６】上記コネクタの横断面図。
【図２７】本発明の一実施形態に係る電子式内視鏡のビデオコネクタの縦断面図。
【図２８】本発明の一実施形態に係る電子式内視鏡のビデオコネクタの縦断面図。
【図２９】本発明の一実施形態に係る電子式内視鏡のビデオコネクタの横断面図。
【図３０】本発明の一実施形態に係る電子式内視鏡のビデオコネクタの横断面図。
【図３１】本発明の一実施形態に係る電子式内視鏡のビデオコネクタの要部の縦断面図。
【符号の説明】
【００６７】
１…内視鏡、２…挿入部、３…操作部、４…ユニバーサルコード
５…コネクタ、６…ビデオコネクタ、７…ケーブル、１１…先端部
１２…湾曲部、１３…可撓管部、３１…先端部本体
３２…対物レンズユニット、３４…照明レンズ、３５…取付孔
３６…取付孔、３７…ライトガイドファイバ束、４１…レンズ枠
４２…撮像素子ホルダ
【図１】
2006075341.tif 000003
【図２】
2006075341.tif 000004
【図３】
2006075341.tif 000005
【図４】
2006075341.tif 000006
【図５】
2006075341.tif 000007
【図６】
2006075341.tif 000008
【図７】
2006075341.tif 000009
【図８】
2006075341.tif 000010
【図９】
2006075341.tif 000011
【図１０】
2006075341.tif 000012
【図１１】
2006075341.tif 000013
【図１２】
2006075341.tif 000014
【図１３】
2006075341.tif 000015
【図１４】
2006075341.tif 000016
【図１５】
2006075341.tif 000017
【図１６】
2006075341.tif 000018
【図１７】
2006075341.tif 000019
【図１８】
2006075341.tif 000020
【図１９】
2006075341.tif 000021
【図２０】
2006075341.tif 000022
【図２１】
2006075341.tif 000023
【図２２】
2006075341.tif 000024
【図２３】
2006075341.tif 000025
【図２４】
2006075341.tif 000026
【図２５】
2006075341.tif 000027
【図２６】
2006075341.tif 000028
【図２７】
2006075341.tif 000029
【図２８】
2006075341.tif 000030
【図２９】
2006075341.tif 000031
【図３０】
2006075341.tif 000032
【図３１】
2006075341.tif 000033